(57)【要約】【課題】  系統図画面上にポップアップ画面が表示されることによる監視範囲の制約をなくし、操作性に優れ信頼度の高いプロセス監視制御装置を提供することである。【解決手段】  監視画面表示処理手段１７は、２台の表示装置１３のうちの一方の表示装置１３ａには複数台の監視制御対象機器が機器（開閉器）で接続されて構成される系統の系統図画面を表示し、他方の表示装置１３ｂには系統の主機共通監視制御画面を表示する。入力ポイント処理手段１９は、系統図画面と主機共通監視制御画面とを跨って入力装置４の入力ポイントを移動させ、ポップアップ画面表示処理手段２２は系統図画面上で入力装置４から操作指令が入力されたときその操作指令に関連するポップアップ画面を主機共通監視制御画面上の所定の非表示領域に表示する。制御手段２３はポップアップ画面上で入力装置４により系統の機器への操作指令が入力されたときその機器に操作指令を出力する。【選択図】  図１
2005222197.tif 000002
【特許請求の範囲】
【請求項１】
２台の表示装置のうちの一方の表示装置には複数台の監視制御対象機器に機器が接続されて構成される系統の系統図画面を表示し他方の表示装置には前記系統の主機共通監視制御画面を表示する監視画面表示処理手段と、２台の表示装置にそれぞれ表示された前記系統図画面と前記主機共通監視制御画面とを跨って入力装置の入力ポイントを移動させ入力装置からの操作指令を入力処理する入力ポイント処理手段と、前記系統図画面上で前記入力装置から操作指令が入力されたときその操作指令に関連するポップアップ画面を前記主機共通監視制御画面上の所定の非表示領域に表示するポップアップ画面表示処理手段と、前記ポップアップ画面上で前記入力装置により前記系統を構成する機器への操作指令が入力されたときはその機器に操作指令を出力する制御手段とを備えたことを特徴とするプロセス監視制御装置。
【請求項２】
２台の表示装置のうちの一方の表示装置には複数台の監視制御対象機器に機器が接続されて構成される系統の系統図画面を表示し他方の表示装置には前記監視制御対象機器ごとの号機監視制御画面を表示する監視画面表示処理手段と、２台の表示装置にそれぞれ表示された前記系統図画面と前記号機監視制御画面とを跨って入力装置の入力ポイントを移動させ入力装置からの操作指令を入力処理する入力ポイント処理手段と、前記系統図画面上または前記号機監視制御画面上で前記入力装置から操作指令が入力されたときその操作指令に関連するポップアップ画面を前記号機監視制御画面上の所定の非表示領域に表示するポップアップ画面表示処理手段と、前記ポップアップ画面上で前記入力装置により前記系統を構成する機器への操作指令が入力されたときはその機器に操作指令を出力すると共に前記ポップアップ画面上で前記入力装置により前記監視制御対象機器への制御指令が入力されたときはその監視制御対象機器に制御指令を出力する制御手段とを備えたことを特徴とするプロセス監視制御装置。
【請求項３】
前記系統を構成する機器は、開閉器であることを特徴とする請求項１または２記載のプロセス監視制御装置。
【請求項４】
前記監視画面表示手段は、前記入力装置からの操作指令に基づき一方の表示装置の表示画面に前記監視制御対象機器の映像を表示することを特徴とする請求項３記載のプロセス監視制御装置。
【請求項５】
前記監視画面表示手段は、前記入力装置からの操作指令に基づき一方の表示装置の表示画面と他方の表示装置の表示画面とを交換して表示することを特徴とする請求項１乃至請求項４のいずれか１項記載のプロセス監視制御装置。
【発明の詳細な説明】
【技術分野】
【０００１】
本発明は、プラントプロセスを構成する複数台の監視制御対象機器に機器が接続されて構成される系統の監視制御を行うプロセス監視制御装置に関する。
【背景技術】
【０００２】
プラントプロセスの監視制御は表示装置に監視制御画面を表示して、運転員はその監視制御画面を通して警報処理をしたり制御指令を出力したりしている。例えば、火力発電プラントや原子力発電プラントのような大規模なプラントでは監視制御項目も多いことから、あるプラント状態においては１枚の監視制御画面では対応しきれない。そこで、複数台の表示装置を用意し、そのプラント状態において監視制御しなければならない項目に関連する監視制御画面を複数台の表示装置に個別に表示し同時に視認できるようにしたプラント監視制御装置がある（例えば特許文献１参照）。
【０００３】
また、各種のプロセス量をシンボル化して表示するための第１画面と、第１画面に表示されシンボル化されたプロセス量が選択されたとき当該プロセス量をバーチャートやインジケータ表示で詳細に表示する第２画面を設けたプロセス監視制御装置がある（例えば特許文献２参照）。
【０００４】
一方、水力発電プラントのように比較的小規模なプラントプロセスの監視制御では、１台の表示装置を用意し、その１台の表示装置に監視制御画面を切り替えて表示したり、監視画面上にポップアップ画面を表示して監視制御を行うようにしている。
【特許文献１】特開平１１−３０５８２８号公報
【特許文献２】特開２００１−１７５３２２号公報
【発明の開示】
【発明が解決しようとする課題】
【０００５】
しかし、複数台の表示装置を用意し個別に監視制御画面を表示するようにしたものでは、監視制御画面がそれぞれ個別に表示されるので、運転員は複数台の表示装置間を行き来しなければならない。また、各種のプロセス量をシンボル化して第１画面に表示しその詳細を第２画面に表示するようにしたものでは、第１画面と第２画面との切換が必要となる。
【０００６】
また、監視制御画面上にホップアップ画面を表示するようにしたものでは、ホップアップ画面の背面の監視制御画面が隠れてしまう。例えば、水力発電所の監視制御において、断路器及び遮断器を開閉操作する場合には制御する開閉器を監視制御画面上でクリックして、主機系統図の画面上に制御用ポップアップ画面２１０を表示するので、主機系統図の表示が一部隠れてしまい、運転員は全体の状況を把握することができなくなる。なお、水力発電所においての主機は、水車及び水車発電機である。
【０００７】
本発明の目的は、系統図画面上にポップアップ画面が表示されることによる監視範囲の制約をなくし、操作性に優れ信頼度の高いプロセス監視制御装置を提供することである。
【課題を解決するための手段】
【０００８】
請求項１の発明に係わるプロセス監視制御装置は、２台の表示装置のうちの一方の表示装置には複数台の監視制御対象機器に機器が接続されて構成される系統の系統図画面を表示し他方の表示装置には前記系統の主機共通監視制御画面を表示する監視画面表示処理手段と、２台の表示装置にそれぞれ表示された前記系統図画面と前記主機共通監視制御画面とを跨って入力装置の入力ポイントを移動させ入力装置からの操作指令を入力処理する入力ポイント処理手段と、前記系統図画面上で前記入力装置から操作指令が入力されたときその操作指令に関連するポップアップ画面を前記主機共通監視制御画面上の所定の非表示領域に表示するポップアップ画面表示処理手段と、前記ポップアップ画面上で前記入力装置により前記系統を構成する機器への操作指令が入力されたときはその機器に操作指令を出力する制御手段とを備えたことを特徴とする。
【０００９】
請求項２の発明に係わるプロセス監視制御装置は、２台の表示装置のうちの一方の表示装置には複数台の監視制御対象機器に機器が接続されて構成される系統の系統図画面を表示し他方の表示装置には前記監視制御対象機器ごとの号機監視制御画面を表示する監視画面表示処理手段と、２台の表示装置にそれぞれ表示された前記系統図画面と前記号機監視制御画面とを跨って入力装置の入力ポイントを移動させ入力装置からの操作指令を入力処理する入力ポイント処理手段と、前記系統図画面上または前記号機監視制御画面上で前記入力装置から操作指令が入力されたときその操作指令に関連するポップアップ画面を前記号機監視制御画面上の所定の非表示領域に表示するポップアップ画面表示処理手段と、前記ポップアップ画面上で前記入力装置により前記系統を構成する機器への操作指令が入力されたときはその機器に操作指令を出力すると共に前記ポップアップ画面上で前記入力装置により前記監視制御対象機器への制御指令が入力されたときはその監視制御対象機器に制御指令を出力する制御手段とを備えたことを特徴とする。
【発明の効果】
【００１０】
本発明によれば、２台の表示装置に系統図画面と監視制御画面とを同時に表示するので、系統図を見ながら監視制御対象機器の制御を実施することが可能となり、また、監視制御画面上の所定の非表示部分にポップアップ画面を表示するので、プラントプロセスの系統図画面上にポップアップ画面が表示されることによる監視範囲の制約がなくなる。また、入力装置の入力ポイントは系統図画面と監視制御画面とを跨って移動するので、オペレータの操作ステップが少なくなり、操作性に優れた信頼度の高いプロセス監視制御装置を提供できる。
【発明を実施するための最良の形態】
【００１１】
図１は本発明の実施の形態に係わるプロセス監視制御装置１の構成図である。図１では６台の水車及び水車発電機を有する水力発電所にプロセス監視制御装置１を適用した場合を示しており、プロセス監視制御装置１による監視制御対象機器は水車または水車発電機である。すなわち、複数台の監視制御対象機器（６台の水車発電機）が機器（開閉器）で接続されて構成される系統を監視制御する場合を示している。
【００１２】
プロセス監視制御装置１は水力発電所の構内ＬＡＮ６に接続され、その構内ＬＡＮ６には主機である６台の水車発電機をそれぞれ制御する１号機から６号機までの号機制御用シーケンサ２ａ〜２ｆが接続され、また、これら各号機の共通機器を制御するための共通機器制御用シーケンサ３が接続されている。
【００１３】
プロセス監視制御装置１は、２台の表示装置１３ａ、１３ｂ、演算制御装置１１、入力装置４から構成され、入力装置４はキーボード１４及びマウス１５を備えている。演算制御装置１１は、ネットワークインターフェース基板１６を介して構内ＬＡＮ６に接続され、構内ＬＡＮ６に接続された共通機器制御用シーケンサ３及び各号機制御用シーケンサ２ａ〜２ｆからプラントデータを監視画面表示処理手段１７に入力する。
【００１４】
監視画面表示処理手段１７は、複数台の監視制御対象機器（６台の水車発電機）が開閉器で接続されて構成される系統の系統図画面及び主機共通監視制御画面を画面記憶部１８から取り出し、マルチグラフィック基板１２を介して、２台の表示装置１３ａ、１３ｂのうちの一方の表示装置１３ａに系統図画面を表示し、他方の表示装置１３ｂに主機共通監視制御画面を表示する。マルチグラフィック基板１２は、アナログＲＧＢの出力コネクタを２セット有するグラフィック基板である。
【００１５】
入力ポイント処理手段１９は、２台の表示装置１３ａ、１３ｂにそれぞれ表示された系統図画面と主機共通監視制御画面とを跨って入力装置４の入力ポイントを移動させ、入力装置４からの操作指令を入力処理するものである。また、ポップアップ画面表示処理手段２２は、一方の表示装置１３ａに表示された系統図画面上で入力装置４から操作指令が入力されたとき、その操作指令に関連するポップアップ画面を画面記憶部１８から取り出し、マルチグラフィック基板１２を介して他方の表示装置１３ｂに表示された主機共通監視制御画面上の所定の非表示領域にポップアップ画面を表示する。そして、運転員によりそのポップアップ画面上で入力装置４により系統の開閉器への開閉指令（操作指令）が入力されたときは、制御手段２３は該当の開閉器に対してネットワークインターフェース基板１６及び構内ＬＡＮ６を介して開閉指令を出力する。
【００１６】
図２は、解像度が２５６０×１０２４ピクセルの画面で作成した系統図画面２０及び主機共通監視制御画面５０の平面図である。図２において、系統図画面２０は一方の表示装置１３ａに表示され、主機共通監視制御画面５０は他方の表示装置１３ｂに表示される。
【００１７】
系統図画面２０には系統構成が表示され、○印は断路器、□印は遮断器を示している。そして、○印の横には断路器を識別するための機器番号が記入され、同様に、□印の横には遮断器を識別するための機器番号が記入されている。また、大きな○印は監視制御対象である水車発電機を示しており、大きな○印の中には各号機の番号１Ｇ〜６Ｇが記入されている。断路器及び遮断器のシンボルは該当の断路器または遮断器が閉状態の場合は赤色で、開状態の場合は緑色で表示され、水車発電機のシンボルは起動中の場合は赤色で停止中の場合は緑色で表示される。また、系統図画面２０の下部には共通メニュー領域４０ａが設けられている。この共通メニュー領域４０ａには共通画面表示ボタン４１及び主機画面表示ボタン４２が表示されており、共通画面表示ボタン４１は各号機を共通に監視制御するための共通監視制御画面を表示する際に選択されクリックされ、主機画面表示ボタン４２は主機に関する監視制御するための主機共通監視制御画面５０を表示する際に選択されクリックされる。
【００１８】
主機共通監視制御画面５０は、６台の監視制御対象機器に関する故障表示部を有する。すなわち、１号機の故障を表示する１号機故障表示部５１、２号機の故障を表示する２号機故障表示部５２、３号機の故障を表示する３号機故障表示部５３、４号機の故障を表示する４号機故障表示部５４、５号機の故障を表示する５号機故障表示部５５、６号機の故障を表示する５号機故障表示部５６を有し、各々の故障表示部５１〜５６は故障項目ごとに表示器を備えている。そして、号機の故障が発生したとき該当の故障項目の表示器が例えば赤色フリッカ表示となり、運転員が故障確認をしてフリッカ停止ボタン５８をクリックすると赤色連続表示となる。さらに、故障が復帰かつ運転員が表示復帰ボタン５９をクリックしたときに例えば灰色表示となる。制御スイッチ部５７には後述のポップアップ画面が表示され、このポップアップ画面を通して断路器や遮断器等の開閉器の開閉指令を出力することになる。また、主機共通監視制御画面５０の下部には共通メニュー領域４０ｂが設けられている。
【００１９】
図３はポップアップ画面２１０の説明図である。図３では、断路器の制御用のポップアップ画面２１０を示しており、系統図画面２０上で断路器５２７を選択しクリックした場合を示している。系統図画面２０上で断路器５２７を選択しクリックすると、主機共通監視制御画面５０の制御スイッチ部５７にこのポップアップ画面２１０が表示される。制御する機器名２１１（図３では断路器５２７）、閉ボタン２１２（断路器５２７が閉状態であれば開ボタンが表示される）及びキャンセルボタン２１３が表示される。運転員はこの閉ボタン２１２をクリックして断路器の開閉を行うことになる。なお、キャンセルボタン２１３をクリックするとポップアップ画面２１０が消去される。
【００２０】
次に、このように構成されたプロセス監視制御装置１の動作を説明する。演算制御装置１１はプロセス監視制御装置１におけるすべての処理を実施するＣＰＵであり、構内ＬＡＮ６からネットワークインターフェース基板１６を経由して入力したプラント情報をマルチグラフィック基板１２を経由して、一方の表示装置１３ａに系統図画面２０を表示し、他方の表示装置１３ｂに主機共通監視制御画面５０を表示する。また、キーボード１４やマウス１５等の入力装置４にて制御した制御情報をネットワークインターフェース基板１６を経由して構内ＬＡＮ６へ出力する。
【００２１】
ここで、マルチグラフィック基板１２は、前述したようにアナログＲＧＢの出力コネクタを２セット有するグラフィック基板であり、例えば解像度が２５６０×１０２４ピクセルの画面を作成する場合に、１２８０×１０２４ピクセルの２つの画面に分割して、左側の画面データを一方の表示装置１３ａの出力コネクタへ出力し、右側の画面データを他方の表示装置１３ｂの出力コネクタへ出力する機能を持つ。
【００２２】
図２に示した系統図画像２０及び主機共通監視制御画面５０は、解像度が２５６０×１０２４ピクセルの一つの画面として作成され、一方の表示装置１３ａと他方の表示装置１３ｂとに表示される。すなわち、左側半分は系統図画面２０であり、右側半分は６台の監視制御対象機器に共通の主機共通監視制御画面５０である。
【００２３】
主機共通監視制御画面５０においては、号機の故障が発生したときに故障表示部５１〜５６が赤色フリッカ表示となり、運転員がフリッカ停止ボタン５８をクリックすることにより赤色連続表示となり、故障が復帰かつ運転員が表示復帰ボタン５９をクリックしたときに灰色表示となる。
【００２４】
制御スイッチ部５７は断路器または遮断器の開閉を実施するための制御スイッチがポップアップ画面２１０として表示されるエリアであり、開閉する機器を系統図画面２０上にてクリックした場合に制御スイッチがポップアップ画面２１０として表示され、系統図画面２０にて選択した機器の制御を実行する。
【００２５】
すなわち、断路器または遮断器の開閉制御を実施する場合は、共通メニュー画面４０ａの主機画面表示ボタン４２をクリックする。これにより、一方の表示装置１３ａに開閉する断路器または遮断器の表示されている系統図画面２０が表示され、他方の表示装置１３ｂに主機共通監視制御画面５０が表示される。そして、開閉する断路器または遮断器をクリック（例では断路器５２７を選択）して、図３に示すような断路器の制御用のポップアップ画面２１０を主機共通監視制御画面５０の制御スイッチ部５７に表示する。
【００２６】
図３の断路器の制御用のポップアップ画面２１０には、制御する機器名２１１（例では断路器５２７）、閉ボタン２１２（断路器５２７が閉状態であれば開ボタンが表示される）及びキャンセルボタン２１３が表示されるので、閉ボタン２１２をクリックすると断路器５２７が閉し、キャンセルボタン２１３をクリックすると断路器５２７の選択が解除される。ポップアップ画面２１０は、閉ボタン２１２またはキャンセルボタン２１３のどちらかをクリックしたときに消去される。
【００２７】
このように、断路器または遮断器の開閉制御を実施する場合は、系統図画面２０上で開閉する断路器または遮断器をクリックしてポップアップ画面２１０を主機共通監視制御画面５０の制御スイッチ部５７に表示するので、系統図画面２０の一部が断路器のポップアップ画面２１０の背面に隠れることがない。従って、断路器または遮断器の制御中でも全体の状況を把握することができる。また、系統図画面２０と主機共通監視制御画面５０を同時に表示装置１３ａ、１３ｂに表示できるので、監視制御対象機器の故障状態を確認しながら断路器及び遮断器の制御が実施できる。
【００２８】
図４は、解像度が２５６０×１０２４ピクセルの画面で作成した系統図画面２０及び号機監視制御画面３０の平面図である。図４において、号機監視制御画面３０は系統図画面２０の該当するｎ号機の水車発電機のシンボルをクリックすることにより他方の表示装置１３ｂに表示される。他方の表示装置１３ｂに号機監視制御画面３０を表示している状態で、主機共通監視制御画面５０への表示に切り替える場合は、共通メニュー領域４０ａの主機画面表示ボタン４２をクリックすることになる。これにより、図２の系統図画面２０及び主機共通監視制御画面５０の表示にすることができる。系統図画面２０は図２に示した系統図画面２０と同じであるので説明は省略する。
【００２９】
号機監視制御画面３０は６台の監視制御対象機器のうち選択された号機の監視制御画面であり、図４ではｎ号機の号機監視制御画面を示している。故障表示部３１はｎ号機の故障が発生したときに該当の故障項目の表示器が例えば赤色フリッカ表示となり、運転員がフリッカ停止ボタン３６をクリックすることにより赤色連続表示となり、故障が復帰かつ運転員が表示復帰ボタン３７をクリックしたときに灰色表示となる。状態表示部３２はｎ号機の状態を表示し、当該号機が動作しているときに例えば黄色表示し、動作していないときに例えば灰色表示する。
【００３０】
メータ表示部３３はｎ号機のアナログデータ、例えば有効電力、無効電力、ガイドベーン開度等をメータのシンボルで表示する。機器選択スイッチ部３４はｎ号機の制御を実施する機器を選択するための機器選択スイッチを表示しており、制御を実施する機器を選択する。制御スイッチ部３５はｎ号機の制御を実施するための制御スイッチが表示されるエリアであり、制御する機器を機器選択スイッチ部３４にて選択した場合に制御スイッチが表示され、機器選択スイッチ部３４にて選択した機器を制御する。
【００３１】
図５は機器選択スイッチ部３４の一例の説明図である。機器選択スイッチ部３４には監視制御対象機器である水車発電機を制御するためのスイッチを有し、例えば、主幹制御スイッチ３４１、負荷調整スイッチ３４２、電圧調整スイッチ３４３、ＡＬＲ切換スイッチ３４４を有する。主幹制御スイッチ３４１は主機の起動停止を実施するスイッチ、負荷調整スイッチ３４２は負荷の増減を行うスイッチ、電圧調整スイッチ３４３は電圧の増減を行うスイッチ、ＡＬＲ切換スイッチ３４４は自動負荷調整制御装置の使用／除外を切り替えるスイッチである。
【００３２】
図６は、主幹制御スイッチ３４１の制御用のポップアップ画面３５０であり、ｎ号機の機器選択スイッチ部３４の主幹制御スイッチ３４１をクリックしたときに、号機監視制御画面３０の制御スイッチ部３５に表示される。主幹制御スイッチ３４１の制御用のポップアップ画面３５０には、制御する機器名３５１（図６では主幹制御スイッチ３４１の機器番号である“１”を表示）、起動ボタン３５２（監視制御対象機器が起動中であれば停止ボタンが表示される）、キャンセルボタン３５３が表示される。運転員はこの起動ボタン３５２をクリックして監視制御対象機器（水車発電機）の起動を行うことになる。なお、キャンセルボタン３５３をクリックするとポップアップ画面３５０が消去される。
【００３３】
次に、動作を説明する。図４のｎ号機監視制御画面３０において、故障表示部３１はｎ号機の故障が発生したときに該当の故障項目の表示器を赤色フリッカ表示し、運転員がフリッカ停止ボタン３６をクリックすることにより赤色連続表示となり、故障が復帰かつ運転員が表示復帰ボタン３７をクリックしたときに灰色表示となる。状態表示部３２はｎ号機の状態を表示し、監視制御対象機器が動作しているときに黄色表示し、動作していないときに灰色表示する。メータ表示部３３にはｎ号機のアナログデータ、例えば有効電力、無効電力、ガイドベーン開度等がメータのシンボルで表示されている。
【００３４】
機器選択スイッチ部３４はｎ号機の制御を実施する機器を選択するための機器選択スイッチが表示されており、制御を実施する機器の選択が可能となっている。いま、機器選択スイッチ部３４の主幹制御スイッチ３４１をクリックしたとすると、制御スイッチ部３５に主幹制御スイッチ３４１の制御用のポップアップ画面３５０が表示される。
【００３５】
主幹制御スイッチ３４１の制御用のポップアップ画面３５０には、図６に示すように、制御する機器名３５１、起動ボタン３５２（監視制御対象機器が起動中であれば停止ボタン）、キャンセルボタン３５３が表示されるので、起動ボタン３５２をクリックすると監視制御対象機器が起動し、キャンセルボタン３５３をクリックすると主幹制御スイッチ３４１の選択が解除される。これにより、ポップアップ画面３５０は、起動ボタン３５２またはキャンセルボタン３５３をクリックすることで消去される。
【００３６】
また、断路器または遮断器の開閉制御を実施する場合は、系統図画面２０上で開閉する断路器または遮断器をクリックする。これにより、図３に示す断路器の制御用のポップアップ画面２１０がｎ号機監視制御画面３０の制御スイッチ部３５に表示される。図３の断路器の制御用のポップアップ画面２１０には、制御する機器名２１１、閉ボタン２１２（断路器が閉状態であれば開ボタン）及びキャンセルボタン２１３が表示されるので、閉ボタン２１２をクリックすると断路器が閉し、キャンセルボタン２１３をクリックすると断路器の選択が解除される。制御用のポップアップ画面２１０は、閉ボタン２１２またはキャンセルボタン２１３のどちらかをクリックしたときに消去される。
【００３７】
このように、系統図画面２０の該当するｎ号機の水車発電機のシンボルをクリックすることにより、系統図画面２０及びｎ号機監視制御画面３０を表示することができ、また、主機共通監視制御画面５０への表示の切り替えは、共通メニュー４０ａの主機画面表示ボタン４２をクリックすることにより行える。従って、表示画面を切替える際に、サブメニュー画面を表示して表示したい画面を選択する必要がないため、一時的に系統図画面２０の一部がサブメニュー画面の下に隠れてしまうということを防止できる。また、系統図画面２０とｎ号機監視制御画面３０とを同時に表示できるため、系統図の状態を確認しながらｎ号機の制御ができる。
【００３８】
図７は、構内ＬＡＮ６に各々の監視制御対象機器の映像を撮影する号機Ｗｅｂカメラ７ａ〜７ｆを追加して設け、プロセス監視制御装置１の監視画面表示処理手段１７は、入力装置４からの操作指令に基づき一方の表示装置１３ａの系統図画面２０の前面に監視制御対象機器の映像を表示するようにしたものである。ここでの監視制御対象機器は水車であり、各々の号機Ｗｅｂカメラ７ａ〜７ｆは各号機の水車の映像を撮影しプロセス監視制御装置１に入力する。
【００３９】
すなわち、号機Ｗｅｂカメラ７ａ〜７ｆは構内ＬＡＮ６にネットワーク接続できるＷｅｂカメラであり、１号機〜６号機の水車の近辺に設置され、水車の動画を構内ＬＡＮ６を経由して、プロセス監視制御装置１へ出力する。また、プロセス監視制御装置１では、号機Ｗｅｂカメラ７ａ〜７ｆから出力された動画をネットワークインターフェース基板１６より監視画面表示処理手段１７に入力し、マルチグラフィック基板１２を介して一方の表示装置１３ａに表示する。
【００４０】
図８は、ｎ号機Ｗｅｂカメラ７ｎにて入力したｎ号機の水車画像６０を一方の表示装置１３ａに表示した場合の平面図である。なお、他方の表示装置１３ｂには号機監視制御画面３０が表示され、共通メニュー領域４０ｂには画像表示ボタン４３が設けられている。画像表示ボタン４３は水車画像６０を表示する際に選択してクリックする。
【００４１】
すなわち、共通メニュー領域４０ｂの画像表示ボタン４３をクリックすることにより、系統図画面２０の前面にｎ号機の水車の画像を表示する。また、再度画像表示ボタン４３をクリックすることにより、系統図画面２０を画像の前面に表示することができる。
【００４２】
このように、系統図画面２０の表示中に、系統図画面２０の前面にｎ号機の水車画像を表示できるため、号機監視制御画面３０にてｎ号機の制御操作を実施する前に水車画像を表示して、ｎ号機の制御操作を実施しながら水車の動作状況を把握することができる。これにより、ｎ号機シーケンサ２ｎから入力し、ｎ号機監視制御画面３０の状態表示部３２及びメータ表示部３３に表示している情報と併せて、水車の実際の動作状態が把握できるため、水車に異常があった場合に迅速な対応が可能となり、安定した制御操作が実施できる。
【００４３】
図９は、一方の表示装置１３ａの表示画面と他方の表示装置１３ｂの表示画面とを交換して表示した場合の表示画面の平面図である。監視画面表示手段１７は、入力装置４からの操作指令に基づき一方の表示装置１３ａの表示画面と他方の表示装置１３ｂの表示画面とを交換して表示する。
【００４４】
すなわち、解像度が２５６０×１０２４ピクセルの画面で作成した系統図画面２０と号機監視制御画面３０との画面の左半分と右半分とを入れ替えて表示する。左半分の系統図画面２０及び共通メニュー領域４０ａ、右半分の号機監視制御画面３０及び共通メニュー領域４０ｂを各々１２８０×１０２４ピクセルの別々の画面として作成し、表示装置１３ａ、１３ｂに表示する際に画面の表示位置を一方の表示装置１３ａに表示するか他方の表示装置１３ｂに表示するかを指定する。
【００４５】
この表示位置の指定は、通常は系統図画面２０及び共通メニュー領域４０ａが一方の表示装置１３ａに、号機監視制御画面３０及び共通メニュー領域４０ｂが他方の表示装置１３ｂに表示されるが、例えば入力装置４であるキーボード１４のファンクションキーのＦ１キー（図示しないがキーボード１４に標準的についているキー）を押すことにより、一方の表示装置１３ａと他方の表示装置１３ｂとの画面が交換される。
【００４６】
なお、キーボード１４のファンクションキーＦ１により表示画面を交換する場合について説明したが、他のキーにその表示交換の機能を割り当てたり、表示装置１３ａ、１３ｂの画面上の共通メニュー領域４０ａ、４０ｂに画面交換用ボタンを付加して表示交換をするようにしても良い。
【００４７】
このように、表示装置１３ａ、１３ｂの画面の表示を交換できるようにしたので、系統図画面２０及び号機監視制御画面３０を用いて監視制御中に、他方の表示装置１３ｂが故障した場合には、例えば、キーボード１４のファンクションキーのＦ１キーを押すことにより、他方の表示装置１３ｂに表示していた号機監視制御画面３０及び共通メニュー領域４０ｂが一方の表示装置１３ａに表示できるため、他方の表示装置１３ｂが故障した場合でも号機の制御操作が実施できる。
【００４８】
また、一方の表示装置１３ａが故障した場合には、例えばキーボード１４のファンクションキーのＦ１キーを押すことにより、一方の表示装置１３ａに表示していた系統図画面２０及び共通メニュー領域４０ａが他方の表示装置１３ｂに表示できるため、一方の表示装置１３ａが故障した場合でも断路器及び遮断器の開閉制御が実施できる。したがって、一方の表示装置１３ａまたは他方の表示装置１３ｂのどちらか１台が故障した場合であっても、号機の監視制御操作が実施できる。
【００４９】
本発明の実施の形態によれば、断路器または遮断器の開閉制御を実施する場合は、系統図画面２０上で開閉する断路器または遮断器をクリックしてポップアップ画面２１０を主機共通監視制御画面５０の制御スイッチ部５７に表示するので、系統図画面２０の一部が断路器のポップアップ画面２１０の背面に隠れることがない。また、系統図画面２０の該当するｎ号機の水車発電機のシンボルをクリックすることにより、系統図画面２０及びｎ号機監視制御画面３０を表示することができ、また、主機共通監視制御画面５０への表示の切り替えは、共通メニュー４０ａの主機画面表示ボタン４２をクリックすることにより行える。
【００５０】
また、系統図画面２０の表示中に、系統図画面２０の前面にｎ号機の水車画像を表示できるため、号機監視制御画面３０にてｎ号機の制御操作を実施する前に水車画像を表示して、ｎ号機の制御操作を実施しながら水車の動作状況を把握することができる。さらに、表示装置１３ａ、１３ｂの画面の表示を交換できるようにしたので、系統図画面２０及び号機監視制御画面３０を用いて監視制御中に、いずれかの表示装置１３ａ、１３ｂが故障した場合には、故障した表示装置の表示画面を正常な表示装置で表示できるので、いずれかの表示装置が故障した場合であっても号機の制御操作が実施できる。
【図面の簡単な説明】
【００５１】
【図１】本発明の実施の形態に係わるプロセス監視制御装置の構成図。
【図２】本発明の実施の形態における系統図画面及び主機共通監視制御画面の平面図。
【図３】本発明の実施の形態におけるポップアップ画面の説明図。
【図４】本発明の実施の形態における系統図画面及び号機監視制御画面の平面図。
【図５】本発明の実施の形態における機器選択スイッチ部の一例の説明図。
【図６】本発明の実施の形態における主幹制御スイッチの制御用のポップアップ画面の説明図。
【図７】本発明の実施の形態における構内ＬＡＮに各々の監視制御対象機器の映像を撮影する号機Ｗｅｂカメラを追加して設けた場合の説明図。
【図８】本発明の実施の形態における号機Ｗｅｂカメラにて入力した号機の水車画像を一方の表示装置に表示した場合の平面図。
【図９】本発明の実施の形態における一方の表示装置の表示画面と他方の表示装置の表示画面とを交換して表示した場合の表示画面の平面図。
【符号の説明】
【００５２】
１…プロセス監視制御装置、２…号機制御用シーケンサ、３…共通機器制御用シーケンサ、４…入力装置、６…構内ＬＡＮ、７…号機Ｗｅｂカメラ、１１…演算制御装置、１２…マルチグラフィック基板、１３…表示装置、１４…キーボード、１５…マウス、１６…ネットワークインターフェース基板、１７…監視画面表示処理手段、１８…画面記憶部、１９…入力ポイント処理手段、２０…系統図画面、２２…ポップアップ画面表示処理手段、２３…制御手段、３０…号機監視制御画面、３１…故障表示部、３２…状態表示部、３３…メータ表示部、３４…機器選択スイッチ部、３５…制御スイッチ部、３６…フリッカ停止ボタン、３７…表示復帰ボタン、３８…、３９…、４０…共通メニュー領域、４１…共通画面表示ボタン、４２…主機画面表示ボタン、４３…画像表示ボタン、５０…主機共通監視制御画面、５１…１号機故障表示部、５２…２号機故障表示部、５３…３号機故障表示部、５４…４号機故障表示部、５５…５号機故障表示部、５６…６号機故障表示部、５７…制御スイッチ部、５８…フリッカ停止ボタン、５９…表示復帰ボタン、６０…水車画像
【図１】
2005222197.tif 000003
【図２】
2005222197.tif 000004
【図３】
2005222197.tif 000005
【図４】
2005222197.tif 000006
【図５】
2005222197.tif 000007
【図６】
2005222197.tif 000008
【図７】
2005222197.tif 000009
【図８】
2005222197.tif 000010
【図９】
2005222197.tif 000011